(57)【要約】【課題】  トナー収納容器の交換において、新しいトナー収納容器をトナー補給装置に装着する際、装着途中のロック機構が作動する少し手前で前記トナー容器を引き出した場合、トナー収納容器のトナー排出口が開口状態で引き出されることがあり、この時トナー排出口が上向き状態でないとトナーが漏れ機内及び周辺を汚すことがある。【解決手段】  トナー収納容器に装着方向ガイド部材、容器受け部材に装着方向規制部材を設け、トナー収納容器を容器受け部材に装着する際にトナー収納容器のトナー排出口が上向きになるよう装着方向を規制し、装着方向規制は、トナー収納容器をトナー補給装置に装着しロック機構が作動するまで解除されない。ロック機構が作動する手前でトナー収納容器を引き出した場合でもトナー排出口は上向きに保持される。【選択図】        図１
2006215239.tif 000002
【特許請求の範囲】
【請求項１】
円周面に現像剤排出口を有する略円筒形状であって、該現像剤排出口を覆う開閉可能な開口部材を有する現像剤収納容器と、
前記現像剤収納容器を載置し、装着位置、開口位置及び補給位置に移動可能な容器受け部材と、
前記容器受け部材に載置された現像剤収納容器が開口位置に移動したときに、前記開口部材を開く開閉手段と、
前記容器受け部材に載置された現像剤収納容器が補給位置に移動したときに、前記現像剤排出口から排出された現像剤を現像装置に補給する現像剤補給手段とを有する画像形成装置であって、
前記容器受け部材が装着位置にあるときは、前記容器受け部材に載置される現像剤収納容器の現像剤排出口が上向きになるように装着方向を規制し、前記容器受け部材が補給位置に移動したときに、該規制を解除する規制手段とを有することを特徴とする画像形成装置。
【請求項２】
前記現像剤収納容器は、円周面に凹状ガイド部材を有し、
前記規制手段は、前記容器受け部材に設けられた、前記凹状ガイド部材に沿った形状の装着方向規制部材であることを特徴とする請求項１に記載の画像形成装置。
【請求項３】
前記容器受け部材は、スライドレールで移動可能に支持されていることを特徴とする請求項１または２に記載の画像形成装置。
【請求項４】
装着された現像剤収納容器の現像剤排出口を開口して、該現像剤排出口から排出された現像剤を現像装置に補給する現像剤補給手段を有する画像形成装置において、
前記現像剤収納容器を載置し、装着位置と開口位置とに移動可能な容器受け部材と、
前記容器受け部材が装着位置にあるときは、前記容器受け部材に載置される現像剤収納容器の装着方向を規制し、前記容器受け部材が開口位置に移動したのちに、該規制を解除する規制手段とを有することを特徴とする画像形成装置。
【発明の詳細な説明】
【技術分野】
【０００１】
本発明は、画像形成装置に関する。特に、現像剤収納容器の装着方法の改良に関する。
【背景技術】
【０００２】
従来、複写機、プリンタ、ファクシミリ及びこれらの機能を有する複合機等の電子写真方式の画像形成装置では、現像剤収納容器（以下、トナー収納容器ともいう）を画像形成装置本体に具備した現像剤補給手段（以下、トナー補給装置ともいう）に装着して、消費された分を順次トナー収納容器からトナー補給装置に供給し、空になった段階でトナー収納容器をトナー補給装置から取り外す方式で行っているのが一般的である。
【０００３】
一例として、円筒状トナー収納容器の平面端面の一端に開口を設け、かつ内部に螺旋状の突起を設けて、その開口部が上側になるようにトナー収納容器を保持しトナー補給装置に装着し、トナー補給時にはトナー収納容器を一回転させて、開口部から一定量のトナーを供給するようにするとともに、トナー供給完了時には開口部が上側位置で停止させることが提案されている。（例えば、特許文献１参照）
また、トナー収納容器を載置する容器受け部材、容器受け部材に設けたトナー収納容器の開口部材を変位させる開閉手段（以下、開口部材受け部ともいう）、及び画像形成装置本体に設けられ、容器受け部材に載置されたトナー収納容器が画像形成装置に装着された時に、開口部材又は開口部材受け部に作用してトナー収納容器の現像剤排出口（以下、トナー排出口ともいう）を開口する開口部材作用部を有し、トナー収納容器を載置した容器受け部材を画像形成装置本体の所定位置に装着する動作で、開口部材作用部により開口部材を変位させて、トナー排出口を開口し、容器受け部材を画像形成装置本体から取り出す動作で、開口部材受け部により開口部材を変位させて前記トナー排出口を閉じることが提案されている。（例えば、特許文献２参照）
【特許文献１】特開昭６２−６２８５号公報
【特許文献２】特開２００２−３５１２０３号公報
【発明の開示】
【発明が解決しようとする課題】
【０００４】
前述の特許文献１によれば、トナー収納容器とトナー補給装置間の位置規制部材によりトナー収納容器の開口部が上向きの状態でないとトナー補給装置への着脱はできない。しかしながら、トナー収納容器とトナー補給装置間の位置規制部材が嵌合するまでは、位置規制はなく、また、トナー収納容器の開口部を閉じているシール材等を予め剥がし装着する必要がある。そのため、トナー収納容器を開口部が上側になるような状態で水平に保持し、トナー補給装置の容器保持部に装着する必要があり、トナー収納容器の円周方向に傾いたり、長手方向で開口部が下方向に傾いたりするとトナーが漏れ機内及び周辺を汚す恐れがある。
【０００５】
特許文献２によれば、トナー収納容器をトナー排出口が開口部材で閉じた状態で装着し、所定位置に装着することにより開口する。また、所定位置から取り外すことによりトナー排出口は開口部材で閉じられる。従って、トナー収納容器を所定位置に着脱する場合は、トナーが漏れることはない。しかし、トナー収納容器を装着する際、開口部材の変位が始まりトナー排出口が開いた状態で、かつ所定位置まで装着する前に取り外す必要が生じた場合、トナー排出口が開いたまま取り外すことになる。この時、トナー排出口が上向きでないと、トナー漏れを起こし機内及び周辺を汚すことがある。その対策として、トナー排出口を上向きで着脱するよう注意を促すラベル等で作業者に注意を喚起していたが、確実性に欠けた。
【０００６】
本発明は、上記状況に鑑みなされたもので、トナー収納容器を装着途中で取り外しても、トナー漏れを起こさず、機内及び周辺を汚すことのない画像形成装置を提供することを目的とする。
【課題を解決するための手段】
【０００７】
上記目的は、下記の構成により達成される。
（請求項１）
円周面に現像剤排出口を有する略円筒形状であって、該現像剤排出口を覆う開閉可能な開口部材を有する現像剤収納容器と、
前記現像剤収納容器を載置し、装着位置、開口位置及び補給位置に移動可能な容器受け部材と、
前記容器受け部材に載置された現像剤収納容器が開口位置に移動したときに、前記開口部材を開く開閉手段と、
前記容器受け部材に載置された現像剤収納容器が補給位置に移動したときに、前記現像剤排出口から排出された現像剤を現像装置に補給する現像剤補給手段とを有する画像形成装置であって、
前記容器受け部材が装着位置にあるときは、前記容器受け部材に載置される現像剤収納容器の現像剤排出口が上向きになるように装着方向を規制し、前記容器受け部材が補給位置に移動したときに、該規制を解除する規制手段とを有することを特徴とする画像形成装置。
（請求項２）
前記現像剤収納容器は、円周面に凹状ガイド部材を有し、
前記規制手段は、前記容器受け部材に設けられた、前記凹状ガイド部材に沿った形状の装着方向規制部材であることを特徴とする請求項１に記載の画像形成装置。
（請求項３）
前記容器受け部材は、スライドレールで移動可能に支持されていることを特徴とする請求項１または２に記載の画像形成装置。
（請求項４）
装着された現像剤収納容器の現像剤排出口を開口して、該現像剤排出口から排出された現像剤を現像装置に補給する現像剤補給手段を有する画像形成装置において、
前記現像剤収納容器を載置し、装着位置と開口位置とに移動可能な容器受け部材と、
前記容器受け部材が装着位置にあるときは、前記容器受け部材に載置される現像剤収納容器の装着方向を規制し、前記容器受け部材が開口位置に移動したのちに、該規制を解除する規制手段とを有することを特徴とする画像形成装置。
【発明の効果】
【０００８】
請求項１に記載の発明によれば、トナー収納容器は装着方向規制部材により、容器受け部材に装着する際、常にトナー排出口が上向きに装着され、かつ前記規制はトナー収納容器がトナー補給装置の補給位置に装着されないと解除されないため、トナー収納容器を装着途中で、トナー排出口が開口状態で取り外しても、トナー排出口が上向き状態であり、トナー漏れが防止でき機内及び周辺を汚すことがない。
【０００９】
請求項２に記載の発明によれば、請求項１の発明に加え、トナー収納容器の一部に凹状ガイド部材を設け、かつトナー収納容器の凹状ガイド部材に沿った形状の装着方向規制部材を前記容器受け部材に設けるため、トナー収納容器の装着方向を合わせ易く装着を容易に行うことができる。
【００１０】
請求項３に記載の発明によれば、請求項１または２の発明に加え、大型のトナー収納容器でも安定して着脱することが可能になり、高速機のように大量にトナーを消費する画像形成装置においても簡単に、また機内及び周辺を汚すことなくトナー収納容器の交換を行うことが可能になる。
【発明を実施するための最良の形態】
【００１１】
以下に本発明の画像形成装置に関する実施の形態を、図を参照して説明する。
【００１２】
図１は本発明に係る画像形成装置の概念図である。なお、本発明の画像形成装置は以下の実施の形態に限定される物ではない。
【００１３】
図１（ａ）は画像形成装置の正面図、図１（ｂ）、（ｃ）はトナー収納容器装着部を図１（ａ）のＡ−Ａ断面で示す平面図である。図１（ｂ）は容器受け部材を引き出した状態を示し、図１（ｃ）は容器受け部材を画像形成装置内に収納した状態をそれぞれ示している。
【００１４】
図１（ａ）に示すように、トナー収納容器１０は正面側から見て、右上部に装着され、図１（ｂ）、（ｃ）に示すように長い円筒形状をしており、画像形成装置１００の側面に平行に画像形成装置１００内に収納される。
【００１５】
画像形成装置１００は上部に自動原稿搬送装置１０１を有し、下部に記録紙収納部１０４Ａ、１０４Ｂ及び１０４Ｃを有する。１００Ａはトナー収納容器１０を装着するために開閉されるトナー補給用の扉である。
【００１６】
１００Ｂ、１００Ｃは装置内部を開放するための扉である。扉１００Ｂ又は１００Ｃを開放するとドアスイッチが働いて画像形成装置１００は停止する。しかしながら、扉１００Ａのみを開放した場合には、画像形成装置１００が停止することはない。扉１００Ａを開放しトナー収納容器１０を取り出したときにも停止することはなく、画像形成装置１００が画像形成作動を続行する。従って、画像形成を中断することなくトナー補給、即ち、トナー収納容器の交換を行うことができる。
【００１７】
本発明に係る現像剤収納容器であるトナー収納容器１０は、トナー排出口を上向きにして、容器受け部材２１に装着される。容器受け部材２１はスライドレール２１１によって図１（ｂ）に示す位置と図１（ｃ）に示す位置とに移動可能に設けられる。スライドレール２１１は固定レール２１１Ａと移動レール２１１Ｂとからなる。
【００１８】
図２は画像形成装置１００の概略構成を示す断面図である。１０１は自動原稿搬送装置であり、多数枚の原稿を１枚ずつ読取位置に搬送する。自動原稿搬送装置１０１は両面読取機能を有する。
【００１９】
１０２は画像読取部であり、ＣＣＤからなる読取素子１０２Ｂを有し、自動原稿搬送装置１０１により搬送される原稿又は原稿台ガラス１０２Ａに載置された原稿を読みとって画像データを生成する。
【００２０】
１０３は電子写真方式により画像を形成する画像形成部である。即ち、画像形成部１０３は、帯電、露光及び現像により感光体上にトナー像を形成し、記録紙に転写する。画像形成部１０３は画像読取部１０２が生成する画像データ又は外部から伝送された画像データに基づいて、記録紙上にトナー像を形成する。
【００２１】
記録紙収納部１０４Ａ、１０４Ｂ、１０４Ｃ又は手差し給紙台１０５から給紙された記録紙には画像形成部１０３において、トナー像が転写され、転写されたトナー像は定着装置１０６において記録紙に定着される。トナー像が定着された記録紙が排紙皿１０７に排出される。１０８は両面画像形成において、裏面画像形成時に記録紙を反転搬送する反転搬送部である。
【００２２】
トナーの補給は、トナー収納容器１０からトナー補給装置１０９を経て画像形成部１０３の現像装置１０３Ａに画像形成により消費された分を搬送することにより行われる。
【００２３】
トナー収納容器１０について図３および図４により説明する。図３（ａ）はトナー収納容器１０の断面図、図３（ｂ）はトナー収納容器１０の側面図、図４はトナー収納容器１０の先端装着部を示す図で、図４（ａ）は未装着トナー収納容器１０の装着部の側面図、図４（ｂ）は図３における矢印Ｘ２から見た装着部の図、図４（ｃ）は装着されたトナー収納容器の装着部の上面図である。
【００２４】
トナー収納容器１０は、容器本体１１、固定蓋１２、凹状ガイド部材１２Ｂ、開口部材１３、シール部材１４及び接着テープ１５からなる。
【００２５】
容器本体１１はトナーを収納する収納部１１Ｍ及び先端装着部１１Ｎからなる密閉円筒体である。容器本体の図左端部には口１１Ｂが形成され、トナーは口１１Ｂから詰められる。トナーを収納したトナー収納容器１０は固定蓋１２により密閉される。
【００２６】
固定蓋１２には、凹状ガイド部材１２Ｂが、その凹部の面がトナー収納容器１０のトナー排出口１１Ａの開口面と直交方向をなすように取り付けられている。
【００２７】
図３（ａ）右端部の装着部１１Ｎには、現像剤排出口として機能するトナー排出口１１Ａが設けられ、トナー排出口１１Ａはシール部材１４によりシールされている。装着部１１Ｎには、雌カップリング１１Ｄが設けられ、後述するトナー補給装置１０９の雄カップリングにより伝達される駆動力をトナー収納容器１０に伝達する。
【００２８】
トナー収納容器本体１１には螺旋状突起１１Ｃが容器内壁に形成されており、回転によってトナーが図の左から右方へ搬送される。先端装着部１１Ｎには更に、開口部材１３の移動を案内する案内溝１１Ｅが形成される。
【００２９】
先端装着部１１Ｎには、開口部材１３がトナー排出口を開閉できるよう移動可能に設けられている。開口部材１３は位置決め用の鍔１３Ａ及び種類識別用の鍔１３Ｂを有する。開口部材１３には更に、案内用底つき規制溝１１Ｆが設けられる。
【００３０】
開口部材１３の鍔１３Ａ及び１３Ｂは図５に示すように、一部が欠けており、鍔１３Ａ、１３Ｂの欠けた平坦部１３Ｃをシール部材１４が周回する。シール部材１４は図５に示すように可撓性のテープの両端を接合したものであり、装着部１１Ｎに接着され、トナー排出口１１Ａを密閉している。
【００３１】
次に、トナー収納容器１０の装着の際のシール部材１４の剥離について、トナー排出口１１Ａの開口過程を示す図５により説明する。
【００３２】
図５（ａ）はトナー収納容器１０が未装着の状態を示し、図５（ｂ）は装着された状態を示す。
【００３３】
図５（ａ）に示すように、シール部材１４は未装着の状態では、接着材１６により装着部１１Ｎに接着されており、トナー排出口１１Ａを密閉している。トナー収納容器１０をトナー補給装置１０９に装着することにより、前記に説明したように開口部材１３はトナー収納容器本体１１に対して図左方向に移動して、開口部材１３を周回しているシール部材１４は開口部材１３に追随して移動するので、接着が剥離される。この剥離過程において、シール部材１４の余裕分１４Ａは図５（ａ）では、左側、即ち、開口部材１３の移動方向の先方側に形成されているが、装着された状態では、図５（ｂ）に示すように、移動方向の後方側に形成されている。このようなシール部材１４の余裕分１４Ａによって、トナー排出口１１Ａは開口部材、言い換えると、トナー収納容器１０の移動の初期においては、開口されないである程度移動した後に始めて開口される。このようなシール部材１４の開口機構によって、トナー収納容器１０の着脱の際のトナー漏れやトナー飛散が防止される。
【００３４】
１５は抑え部材としての接着テープであり、余裕分１４Ａによるシール部材１４の浮き上がりを防止する。
【００３５】
図６及び図７によりトナー収納容器１０の装着を説明する。図６は、図１（ｂ）のようにトナー補給装置１０９の装着部２０から引き出されているトナー収納容器１０と当該トナー収納容器１０を装着してある容器受け部材２１と開口部材受け部２３と規制手段として機能する装着方向規制部材３００と装着方向規制解除部材３１０とを示し、図６（ａ）は正面図、図６（ｂ）は上面図である。図７は、図１（ｃ）のようにトナー補給装置１０９の装着部２０に装着されたトナー収納容器１０と容器受け部材２１と開口部材受け部２３と装着方向規制解除状態の装着方向規制部材３００と装着方向規制解除部材３１０とを示し、図７（ａ）は正面図、図７（ｂ）は上面図である。
【００３６】
図６における矢印Ｗ１のように、点線で表示した未使用のトナー収納容器１０を装着位置にある容器受け部材２１と開口部材受け部２３とに落とし込んで装着（載置）、次に、Ｗ２の方向に容器受け部材２１を移動させて開口位置において装着部２０に結合することによりトナー収納容器１０が装着部２０に装着される。
【００３７】
図７のように、装着された状態では、開口部材１３は容器本体１１に対して図４（ｃ）の位置に移動しており、シール部材１４を剥離し、トナー排出口１１Ａは開口されている。開口部材１３のこのような移動は、鍔１３Ｂが装着部２０の開口部材作用部としての着脱口２０Ａで押されることによる。
【００３８】
２２はスポンジからなる筒状密閉部材であり、装着されたトナー収納容器１０の先端装着部１１Ｎを密閉する。なお、前記開口部材作用部としては、開口部材受け部２３に作用し、該開口部材受け部２３を介して開口部材１３を移動させる構成でもよい。
【００３９】
トナー収納容器１０が装着部２０に装着されて補給位置にある状態では、装着部２０の雄カップリング３２とトナー収納容器１０の雌カップリング１１Ｄとが結合可能な状態となって、モータＭ１の回転により雄カップリング３２が回転したときに、バネ３３の作用で両者は結合する。トナー収納容器１０は駆動系３０及びカップリング１１Ｄ、３２を介してモータＭ１により回転駆動される。
【００４０】
モータＭ１によりトナー収納容器１０は回転駆動され、トナーは螺旋状の突起１１Ｃ（図３参照）によりトナー排出口１１Ａへ搬送される。トナー排出口１１Ａから流出したトナーは装着部２０に設けられている落下口２０Ｂから落下して搬送スクリュー１１６、１１７からなる貯蔵部２５を有するトナー補給装置１０９により搬送され、現像装置１０３Ａ（図２参照）に供給される。搬送スクリュー１１６、１１７はモータＭ２により駆動される。
【００４１】
次に、容器受け部材２１のロック手段及び開口部材１３の駆動機構を図６、図８、図９により説明する。
【００４２】
容器受け部材２１の左端部に設けてある取っ手部には、圧縮バネＳ３により時計方向に付勢されたロックレバー１４０が設けられ、このロックレバー１４０を圧縮バネＳ３に抗して、反時計方向に回転させることによって、ロックが解除され、容器受け部材２１と共に開口部材受け部２３を図６の左方向へ移動させて画像形成装置１００内から引き出すことができる。
【００４３】
図８は、図６に於ける矢印Ｘ３から見たトナー収納容器１０と容器受け部材２１及び開口部材受け部２３の模式的な図で、図９は、図８に於ける矢印線Ｘ４−Ｘ４方向から見た模式的な断面図である。
【００４４】
図９（ａ）は開口部材受け部２３が装着部２０に装着されていない状態を示し、図９（ｂ）は装着された状態を示す。何れの図にも、開口部材受け部２３が２点鎖線で表示してある。
【００４５】
容器受け部材２１上には開口部材受け部２３が設けられ、移動手段であるスライドレール２１１に支持されている。前記開口部材受け部２３は、前記容器受け部材２１に形成されている長円形状の案内溝１４６上を移動できる２本の案内ピン１４７と、前記案内溝１４６側と反対側に形成されているロックボス１５０とにガイドされて、開口部材受け部２３の容器受け部材２１に対する相対移動を可能にしている。
【００４６】
装着されるトナー収納容器１０は、容器受け部材２１と開口部材受け部２３とに支持される。開口部材受け部２３には、その底部にフック１４２が軸１４２Ａによって、フック１４４が軸１４４Ａによりそれぞれ回転可能に支持されている。
【００４７】
フック１４２は引っ張りバネＳ１により時計方向に付勢され、フック１４４は圧縮バネＳ２によって反時計方向に付勢される。
【００４８】
前記引っ張りバネＳ１及び圧縮バネＳ２に代える手段として、コイルバネを使い、それぞれのコイルバネの中心に、軸１４２Ａ、軸１４４Ａを通して、バネの回転力を利用する方法で行ってもよい。
【００４９】
開口部材受け部２３が未装着の状態では、容器受け部材２１に対して開口部材受け部２３は、図６及び図９（ａ）の状態にあり、フック１４４は容器受け部材２１に設けた突起１４５に押されて、時計方向に最も回転した位置にある。
【００５０】
この位置では、フック１４２はフリーであり、引っ張りバネＳ１により付勢されて時計方向に最も回転した位置にある。
【００５１】
容器受け部材２１と開口部材受け部２３とを開口位置に移動して装着部２０に装着すると、突起１４５がフック１４４から離れると共に、フック１４２が容器受け部材２１に設けた突起１４３により、引っ張りバネＳ１の付勢に抗して反時計方向に回転する。
【００５２】
その結果、図９（ｂ）のように、フック１４４がフック１４２の復帰を妨げる状態に接して、フック１４２が係止される。フック１４２は、又、トナー補給装置１０９に設けた係止部材１４８に係止される。
【００５３】
このようにして、容器受け部材２１と開口部材受け部２３とを画像形成装置１００内の所定位置に移動し収納したときに、開口部材１３を開口部材受け部２３に係止した状態が形成される。
【００５４】
その結果、トナー収納容器１０はトナー補給装置１０９の正規位置に固定され、回転時のトナー収納容器１０のずれが防止される。
【００５５】
装着されたトナー収納容器１０を取り出すときは、単に、容器受け部材２１を引き出すだけでよい。即ち、図７及び図９（ｂ）の状態で容器受け部材２１を画像形成装置１００から引き出すと、前記係止部材１４８により開口部材受け部２３が係止されている結果、最初に、容器受け部材２１に対して開口部材受け部２３が相対的に移動して、開口部材１３はトナー排出口１１Ａを覆う方向へ作用する。
【００５６】
この動作において、容器受け部材２１に設けてある突起１４５がフック１４４を押すと共に突起１４３がフック１４２を開放するので、図９（ｂ）の状態から、フック１４２が時計方向に回転し、フック１４４も時計方向に回転して図９の（ａ）の状態が形成される。
【００５７】
図９（ａ）の状態は、開口部材１３及びシール部材１４がトナーの排出口１１Ａを閉鎖した状態である。従って、トナー収納容器１０を取り出す際に発生しやすいトナーの漏れやトナー飛散が良好に防止される。
【００５８】
前記状態に於ける位置から、更に、容器受け部材２１が引き出されると、開口部材受け部２３と前記開口部材受け部上に装着された開口部材１３も共に移動し、装着部２０の着脱口２０Ａから開口部材受け部２３が離間されることになる。
【００５９】
図６、図７により本発明に係るトナー収納容器の装着方向規制について説明する。
【００６０】
トナー収納容器の装着方向規制及び規制解除は、トナー収納容器に設けられた凹状ガイド部材１２Ｂ、容器受け部材に設けられた回動可能な規制部材３０１と規制部材軸３０２と規制部材３０１を反時計方向に付勢するバネ３０３とで構成される装着方向規制部材３００、及びトナー補給装置に設けられ、前記規制部材３０１を時計方向に回転し規制を解除する解除レバー３１１と該解除レバーを支持する支持板３１２とで構成される装着方向規制解除部材３１０で行われる。
【００６１】
図６（ｂ）に示すように、容器受け部材２１がトナー補給装置から引き出された状態では、容器受け部材２１に設けられた規制部材３０１は、バネ３０３で反時計方向に付勢されている。従って、トナー収納容器を容器受け部材に装着する場合、トナー収納容器に設けられた凹状ガイド部材の凹状ガイド面が前記規制部材３０１に沿った位置になったときのみ装着可能となり、この時トナー収納容器のトナー排出口１１Ａは上向きとなる。
【００６２】
容器受け部材に装着されたトナー収納容器をトナー補給装置の装着部の補給位置に装着することにより図７（ｂ）で示すように、規制部材３０１は解除レバー３１１に押され、時計方向に回転し、装着方向規制は解除されトナー収納容器は回転可能となり、トナー補給ができる。
【００６３】
トナー収納容器交換において、トナー収納容器をトナー補給装置の装着部から引き出した場合に、トナー収納容器のトナー排出口が上向きでなく、トナー収納容器に設けられた凹状ガイド部材の凹状ガイド面が前記規制部材３０１に沿った位置になくても、即ち図６（ｂ）に示す状態でなくても、トナー収納容器の取り外しは容易に可能である。
【００６４】
前記装着方向規制部材は、トナー収納容器をトナー補給装置の装着部に装着する作業において、トナー収納容器がトナー補給装置の装着部の補給位置まで装着されないと装着方向規制解除がされないため、トナー収納容器をトナー補給装置の装着部の補給位置まで装着せず、途中で取り外す場合において、トナー収納容器の開口部材の変位が始まりトナー排出口が開いた状態であっても、装着方向規制部材によりトナー排出口が常に上向きで保持されるため、トナー漏れを防止でき、機内及び周辺を汚すことを防止できる。
【図面の簡単な説明】
【００６５】
【図１】図１（ａ）は画像形成装置の正面概念図であり、図１（ｂ）は容器受け部材を引き出した状態のトナー収納容器装着部の平面断面図であり、図１（ｃ）は容器受け部材を画像形成装置内に収納した状態のトナー収納容器装着部の平面断面図である。
【図２】画像形成装置の内部構成の概略図である。
【図３】図３（ａ）はトナー収納容器の断面図であり、図３（ｂ）はトナー収納容器の側面図である。
【図４】図４（ａ）は未装着のトナー収納容器の装着部の側面図であり、図４（ｂ）は図３（ａ）における矢印Ｘ２から見た装着部の図であり、図４（ｃ）は装着されたトナー収納容器の装着部の上面図である。
【図５】図５（ａ）は未装着状態の、トナー収納容器のトナー排出口の図であり、図５（ｂ）は装着状態の、トナー収納容器のトナー排出口の図である。
【図６】図６は、トナー補給装置の装着部から引き出されているトナー収納容器と該トナー収納容器を装着してある容器受け部材と開口部材受け部と装着方向規制部材と装着方向規制解除部材を示す概念図であり、図６（ａ）は正面図、図６（ｂ）は上面図である。
【図７】図１２は、トナー補給装置の装着部に装着されたトナー収納容器と容器受け部材と開口部材受け部と装着方向規制部材と装着方向規制解除部材を示す概念図であり、図７（ａ）は正面図、図７（ｂ）は上面図である。
【図８】図６における矢印Ｘ３から見たトナー収納容器と容器受け部材及び開口部材受け部の模式的な図である。
【図９】図９（ａ）は図８における矢印線Ｘ４−Ｘ４方向から見た模式的な断面図で、開口部材受け部が装着部に装着されていない状態の図であり、図９（ｂ）は図８における矢印線Ｘ４−Ｘ４方向から見た模式的な断面図で、開口部材受け部が装着部に装着された状態の図である。
【符号の説明】
【００６６】
１０  トナー収納容器
１１Ａ  トナー排出口
１２  固定蓋
１２Ｂ  凹状ガイド部材
１３  開口部材
１３Ｂ  顎
２０  装着部
２０Ａ  着脱口
２１  容器受け部材
２３  開口部材受け部
１００  画像形成装置
１００Ａ  扉
１０９  トナー補給装置
２１１  スライドレール
３００  装着方向規制部材
３０１  規制部材
３０２  規制部材軸
３０３  バネ
３１０  装着方向規制解除部材
３１１  解除レバー
３１２  支持板
【図１】
2006215239.tif 000003
【図２】
2006215239.tif 000004
【図３】
2006215239.tif 000005
【図４】
2006215239.tif 000006
【図５】
2006215239.tif 000007
【図６】
2006215239.tif 000008
【図７】
2006215239.tif 000009
【図８】
2006215239.tif 000010
【図９】
2006215239.tif 000011